(57)【要約】【課題】光学部品単体のある光学特性が一方向に向くように揃えて、光学部品の回転配置による特性ばらつきを安定させられるように方向識別部を設けた光学部品、及びこの光学部品を用いた光ピックアップ装置、及びこの光ピックアップ装置を用いた光ディスク装置を提供する。【解決手段】ハウジング１０１と、このハウジング１０１に取り付けられ、ディスクの情報記録面にレーザ光を照射する少なくとも１つ以上の光源ユニット２０１、２０２と、ハウジング１０１に取り付けられ、この光源ユニット２０１、２０２から照射されるレーザ光を透過または反射させる透過反射面を有し、この透過反射面を透過または反射されたレーザ光の収差が最小となる透過反射面の周縁位置にマークが形成された対物レンズ３０７とを具備したことを特徴とする。【選択図】      図３
2004170480.tif 000002
【特許請求の範囲】
【請求項１】
レーザ光を照射するための光源ユニットから照射された前記レーザ光を透過または反射させる透過反射面と、
この透過反射面を透過または反射された前記レーザ光の収差が最小となる前記透過反射面の周縁位置にマークが形成されることを具備することを特徴とする光学部品。
【請求項２】
前記マークは、凸状又は凹部状に形成されたことを特徴とする請求項１記載の光学部品。
【請求項３】
前記マークは、着色が施されたことを特徴とする請求項１記載の光学部品。
【請求項４】
前記マークは、反射率が他の部分と異なることを特徴とする請求項１記載の光学部品。
【請求項５】
前記マークは、前記レーザ光の有効領域外に設けられることを特徴とする請求項１記載の光学部品。
【請求項６】
前記マークは、熱が加えられることによって完全に消失する、或いは多少残った形跡を有することを特徴とする請求項１記載の光学部品。
【請求項７】
ハウジングと、
このハウジングに取り付けられ、ディスクの情報記録面にレーザ光を照射する少なくとも１つ以上の光源ユニットと、
前記ハウジングに取り付けられ、この光源ユニットから照射される前記レーザ光を透過または反射させる透過反射面を有し、この透過反射面を透過または反射された前記レーザ光の収差が最小となる前記透過反射面の周縁位置にマークが形成された光学部品とを具備したことを特徴とする光ピックアップ装置。
【請求項８】
前記マークは、凸状又は凹部状に形成されたことを特徴とする請求項７記載の光ピックアップ装置。
【請求項９】
前記マークは、着色が施されたことを特徴とする請求項７記載の光ピックアップ装置。
【請求項１０】
前記マークは、反射率が他の部分と異なることを特徴とする請求項７記載の光ピックアップ装置。
【請求項１１】
前記マークは、前記レーザ光の有効領域外に設けられることを特徴とする請求項７記載の光ピックアップ装置。
【請求項１２】
前記マークは、熱が加えられることによって完全に消失する、或いは多少残った形跡を有することを特徴とする請求項７記載の光ピックアップ装置。
【請求項１３】
ハウジングと、
このハウジングに取り付けられ、ディスクの情報記録面にレーザ光を照射する少なくとも１つ以上の光源ユニットと、
前記ハウジングに取り付けられ、この光源ユニットから照射される前記レーザ光を透過または反射させる透過反射面を有し、この透過反射面を透過または反射された前記レーザ光の収差が最小となる前記透過反射面の周縁位置にマークが形成された光学部品と、
前記ディスクを載置するためのターンテーブルと、
前記ターンテーブルに載置された前記ディスクを回転駆動させるディスクモータとを具備したことを特徴とする光ディスク装置。
【発明の詳細な説明】
【０００１】
【発明の属する技術分野】
この発明は、ＣＤ（Ｃｏｍｐａｃｔ  Ｄｉｓｋ）、ＣＤ（Ｃｏｍｐａｃｔ  Ｄｉｓｋ）−Ｒ（Ｒｅｃｏｒｄａｂｌｅ）／ＲＷ（ＲｅＷｒｉｔａｂｌｅ）、ＤＶＤ（Ｄｉｇｉｔａｌ  Ｖｅｒｓａｔｉｌｅ  Ｄｉｓｋ）−ＲＯＭ（Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）等の光ディスクに対して、レーザ光を照射する光学部品及び情報を記録又は再生するための光ピックアップ装置及びこのような光ピックアップ装置を用いた光ディスク装置に関する。
【０００２】
【従来の技術】
近年、記録媒体の分野においては、オーディオやデジタルデータを記録した従来のＣＤの直径（１２ｃｍ）と同じ大きさでありながら、高密度記録が可能なＤＶＤが開発されている。このＤＶＤは、その記録密度が高いために、ＣＤのデータを読み取る光の波長（例えば７８０ｎｍ）よりも短い波長（例えば６５０ｎｍ）のレーザ光が必要とされる。
【０００３】
光ディスク装置としては、ＣＤ、ＤＶＤのいずれのディスクシステムも記録再生可能なものが望まれている。これにより、所定の波長のレーザ光をそれぞれ放射する発光素子（レーザ素子）を用いた光ピックアップ装置として、ＣＤ用の第１の光源（波長７８０ｎｍ）と、ＤＶＤ用の第２の光源（波長６５０ｎｍ）とを有するものが開発されている。
【０００４】
しかしながら、光ディスク装置に対しては高性能対応や小型化の要請が著しく高まっており、それに伴って、このような２種類の異なる波長の光源を使用する光ピックアップ装置にも厳しい設計条件が課せられている。
【０００５】
このような厳しい条件をクリアするために、従来では、光ピックアップ装置の外形を司るハウジングに対して光学部品（例えば、コリメータレンズ）の取付けを行う際に、ハウジングの内面とコリメータレンズとの間に、発光部材より照射されたレーザ光の光軸回りに対するコリメータレンズの回転方向位置を規制し、コリメータレンズを透過したレーザ光の非点収差を最小にするようにした光ピックアップ装置が提供されている。（例えば、特許文献１参照）。
【０００６】
【特許文献１】
特開２００２−３２９３１号公報（第３−１０頁、第１図）
【０００７】
【発明が解決しようとする課題】
このような光ピックアップ装置において、例えば光ピックアップ装置の小型薄型化に伴って、光学素子や光学部品などの各単体における光学性能の他に、それらの配置及び配置角度なども設計制約の大きいなかで誤差を吸収してあげることは設計上重要な要素である。しかしながら、光学部品の配置及び配置角度は、光学部品を位置決めするためのハウジングまたは組み立ての治工具などの精度や調整精度によって左右され、機械的な調整追い込みには各ばらつきの分布から限界がある。
【０００８】
一方、光学部品の各単体における光学性能にもばらつきがある。例えば、レーザ光を光ディスクの情報記録面に合焦させる対物レンズを生成するための金型において、この金型のキャビティー毎や同一のキャビティー内での性能ばらつきがあり、特に金型の温度などの条件で対物レンズの光学特性の方向性が変わってくるため、金型上で光学特性の方向性を示す方向識別部を光学部品に形成しても識別部として利用できない場合がある。したがって、光学部品の各単体における光学性能を安定して発揮させるためには、各部品の特性ばらつきを少なくすることが重要である。
【０００９】
本発明はこのような課題を解決するためのもので、光学部品単体のある光学特性が一方向に向くように揃えて、光学部品の回転配置による特性ばらつきを安定させられるようにマーク（方向識別部）が設けられた光学部品、及びこの光学部品を用いた光ピックアップ装置、及びこの光ピックアップ装置を用いた光ディスク装置を実現することを目的とする。
【００１０】
【課題を解決するための手段】
この発明は、上記の目的を達成するために、レーザ光を照射するための光源ユニットから照射された前記レーザ光を透過または反射させる透過反射面と、この透過反射面を透過または反射された前記レーザ光の収差が最小となる前記透過反射面の周縁位置にマークが形成されることを具備することを特徴とする。
【００１１】
上記の構成により、光学部品をハウジングに取り付けする際の取り付け方向が示されることで、取り付け作業者が作業し易くなるとともに、光学部品単体の光学性能のばらつきを少なくすることができる。
【００１２】
この発明は、上記の目的を達成するために、ハウジングと、このハウジングに取り付けられ、ディスクの情報記録面にレーザ光を照射する少なくとも１つ以上の光源ユニットと、前記ハウジングに取り付けられ、この光源ユニットから照射される前記レーザ光を透過または反射させる透過反射面を有し、この透過反射面を透過または反射された前記レーザ光の収差が最小となる前記透過反射面の周縁位置にマークが形成された光学部品とを具備したことを特徴とする。
【００１３】
上記の構成により、光学部品をハウジングに取り付ける際に、上記マークをハウジングの所定の方向に合わせることで、光学部品単体の光学性能のばらつきを少なくすることができ、安定した性能を確保することができる。
【００１４】
【発明の実施の形態】
以下、本発明を実施する場合の形態について図面に基づき説明する。
図１（ａ）、（ｂ）は、この実施の形態で説明する光ピックアップ装置の構成図であり、図１（ａ）は平面図、図１（ｂ）は側面図である。以下、この両方の図を参照しながら説明する。
【００１５】
すなわち、ハウジング１０１の一方の側壁１０２には、第１の集積光学ユニット２０１が取り付けられている。この第１の集積光学ユニット２０１は、波長７８０ｎｍのレーザ光を出射するＣＤ用の光源（第１の光源）である。
【００１６】
そして、この第１の集積光学ユニット２０１内には、ディスク４００からの反射光がホログラム３０１により回折されて照射され、再生信号、フォーカシングエラー信号及びトラッキングエラー信号を得るために光電変換を行なう光検出器２０が設けられている。
【００１７】
また、光学ベース１０１の他方の側壁１０３には、第２の集積光学ユニット２０２が取り付けられている。この第２の集積光学ユニット２０２は、波長６５０ｎｍのレーザビームを出射するＤＶＤ用の光源（第２の光源）である。
【００１８】
このように、光ピックアップ装置は、第１の光源（ＣＤ用）と、第２の光源（ＤＶＤ用）とを有する。第１の集積光学ユニット２０１から出射されたレーザ光は、光学ベースであるハウジング１０１の平面１０４上で、その平面１０４にほぼ平行な方向に放射され、ホログラム３０１を介してダイクロイックＰＢＳ３０２に入射する。
【００１９】
第１の集積光学ユニット２０１からのレーザ光は、ダイクロイックＰＢＳ３０２を直進した後、コリメータレンズ３０３を通り、反射ミラー（プリズム）３０６に入射する。
【００２０】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００２１】
この光ディスク４００の情報記録面で反射された光は、対物レンズ３０７及び反射ミラー３０６を介して、ダイクロイックＰＢＳ３０２に入射する。
このダイクロイックＰＢＳ３０２に入射した反射光は、直進し、ホログラム３０１により回折されて、第１の集積光学ユニット２０１内の光検出器２０に入射され、前述した再生信号、フォーカシングエラー信号及びトラッキングエラー信号の生成に供される。
【００２２】
また、第２の集積光学ユニット２０２から出射されたレーザ光は、ハウジング１０１の平面１０４上で、その平面１０４にほぼ平行な方向に放射され、ホログラム３１１を介してダイクロイックＰＢＳ３０２に入射する。
【００２３】
第２の集積光学ユニット２０２からのレーザ光は、ダイクロイックＰＢＳ３０２の内部で反射されて方向変換され、コリメータレンズ３０３に入射する。コリメータレンズ３０３に入射したレーザ光は、反射ミラー（プリズム）３０６に入射する。
【００２４】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００２５】
この光ディスク４００の情報記録面で反射された光は、対物レンズ３０７及び反射ミラー３０６を介して、ダイクロイックＰＢＳ３０２に入射する。
このダイクロイックＰＢＳ３０２に入射した反射光は、反射し、ホログラム３１１により回折されて、第２の集積光学ユニット２０２内の光検出器２１に入射され、前述した再生信号、フォーカシングエラー信号及びトラッキングエラー信号の生成に供される。
【００２６】
また、対物レンズ３０７は、図示しないレンズホルダによって保持されている。レンズホルダは、複数本のワイヤの一端部で支持されており、フォーカス方向及びトラッキング方向に微動制御可能である。複数本のワイヤは、光学ベース１０１に取り付けられるワイヤホルダによって保持されている。
【００２７】
また、レンズホルダには、例えば、小型のフォーカシング制御用永久磁石及びトラッキング制御用永久磁石が取り付けられている。これらの永久磁石に近接して、光学ベースには、フォーカシング制御用ヨークコイル及びトラッキング制御用ヨークコイルが配置されている。そして、これらのフォーカシング制御用ヨークコイル及びトラッキング制御用ヨークコイルに、それぞれフォーカシング制御信号及びトラッキング制御信号を供給することにより、対物レンズ３０７をフォーカス制御方向及びトラッキング制御方向にそれぞれ微動制御することができる。
【００２８】
次に、上述した光ピックアップ装置を用いた光ディスク装置の構成を説明する。
図２において、ＤＴは、記憶媒体としての前記光ディスク４００を保持するディスクテーブルである。このディスクテーブルＤＴは、サーボ回路により制御されるディスクモータにより回転駆動される。
【００２９】
符号１００は光ピックアップ装置であり、図１で説明したように、ディスクテーブルＤＴに保持されて所定の速度で回転される光ディスク４００の情報記録面にレーザ光を照射するとともに、光ディスク４００の情報記録面で反射された反射光を取り込んで、その反射光の光強度に対応する電気信号を出力する。
【００３０】
光ピックアップ装置１００は、ディスクテーブルＤＴに対して所定の位置関係に設けられたガイドレール６００に沿って、光ディスク４００の情報記録面に形成されたトラックの接線方向と直交する方向（光ディスク４００の半径方向すなわちトラッキング制御方向）に移動可能である。光ピックアップ装置１００は、リニアモータによりガイドレール６００上を往復移動される。
【００３１】
光ピックアップ装置１００の第１の集積光学ユニット２０１に内蔵され、光ディスク４００からの反射光を受光する光検出器２０の出力信号は、信号処理回路７０１、トラッキング制御回路７０２及びフォーカシング制御回路７０３に導かれる。信号処理回路７０１は、光ディスク４００に記録されている情報を再生するための演算処理を実行する。
【００３２】
また、トラッキング制御回路７０２は、光ディスク４００から得られた信号を演算処理してトラッキングエラー信号を生成し、前記トラッキング制御用ヨークコイルに供給するトラッキング制御信号を生成している。フォーカシング制御回路７０３は、光ディスク４００から得られた信号を演算処理してフォーカシングエラー信号を生成し、前記フォーカシング制御用ヨークコイルに供給するフォーカシング制御信号を生成している。
【００３３】
レーザ駆動回路７０５は、図示しないＡＰＣ（ａｕｔｏｍａｔｉｃ  ｐｏｗｅｒ  ｃｏｎｔｒｏｌ）回路からの制御信号に応じて、第１の集積光学ユニット２０１及び第２の集積光学ユニット２０２のレーザ光のパワーを制御する。なお、上記ＡＰＣ回路は、入力された検出信号が予め設定しているレベルの信号であるかどうかを判別し、その判別結果に基づいて得られた制御信号をレーザ駆動回路７０５に供給している。これにより、出力レーザ光のパワーあるいは光ディスク４００からの反射光の光量が予め設定している規格上の範囲内に納まるように自動制御されることになる。
【００３４】
上記第１及び第２の集積光学ユニット２０１，２０２では、それぞれ、所定の波長のレーザ光を放射するレーザ素子が用いられている。また、対物レンズ３０７は、前記レンズホルダにより、トラックの接線方向と直交する方向（光ディスク４００の半径方向）及びレーザ光の通過方向（光ディスク４００の情報記録面と直交する方向）のそれぞれに移動可能に支持されている。
【００３５】
光ディスク４００の半径方向は、トラッキング制御方向と呼ばれる。光ディスク４００の情報記録面と直交する方向は、フォーカシング制御方向と呼ばれる。
トラッキング制御回路７０２は、トラッキングエラー信号からトラッキング制御信号を生成して、前記トラッキング制御用ヨークコイルに供給する。また、フォーカシング制御回路７０３は、フォーカシングエラー信号からフォーカシング制御信号を生成して、前記フォーカシング制御用ヨークコイルに供給する。
【００３６】
全体の回路の動作タイミングや、動作条件（パラメータ等）の切替制御は、システム制御部７１０からの制御信号により設定される。また、この光ディスク装置には、電源装置、装置自体を動作させる際に読み出されるプログラムが記憶されているＲＯＭ（Ｒｅａｄ  Ｏｎｌｙ  Ｍｅｍｏｒｙ）、光ディスク４００から読み出されたデータまたはホストコンピュータ等から入力されるデータならびに制御データ等を一時的に記憶するＲＡＭ［Ｒａｎｄｏｍ  Ａｃｃｅｓｓ  Ｍｅｍｏｒｙ（作業メモリ）］等が設けられている。
【００３７】
上記の説明では、光ディスク４００からの情報再生時の動作について説明したが、この発明の装置は、ＲＡＭディスクに対する情報記録に対して適用できることはもちろんである。このときは、レーザ駆動回路７０５は、記録情報に応じて変調制御されるとともに、ＡＰＣ回路によりレーザ光の平均的なパワーが記録レベルに達するように制御される。
【００３８】
図３は、本発明の実施形態に係わる対物レンズを示す図である。
図３に示すように、同心円２つの外側実線は対物レンズ３０７の外形で、内側点線は対物レンズ３０７の有効領域である。この２つの円の中間にある小さな円がマーク（方向識別部）１０である。この方向識別部１０は、光学特性の一部である非点収差の方向を示しており、この方向識別部１０を対物レンズ３０７につけて、対物レンズ３０７を保持するためのホルダー１２の一方向へ組み付けることによって、ばらつきが減少し安定した光ピックアップ装置の非点収差特性が得られる。コバ１１は、対物レンズ３０７の外周縁側に突出した形状を有しており、このコバ１１をホルダーに支持させて対物レンズ３０７を保持させるものである。
【００３９】
次に、方向識別部についてもう少し詳細に説明する。
図４（ａ）及び（ｂ）は、図３の対物レンズのＸ地点及びＹ地点をそれぞれホルダーのＺ地点に合わせ、その時のレーザ光の照射状態を示した図である。
対物レンズ３０７は、通常金型によって生成されるが、この金型のキャビティー毎や同一キャビティー内でも対物レンズ３０７の光学性能にばらつきが生じる。これは、前述したように金型の温度などの条件で金型を取り外すときに対物レンズ３０７にムラが生じて均一でない形状となってしまうからである。このように光学性能にばらつきが生じている対物レンズ３０７をそのままホルダー１２に保持させると、安定した光学特性を得ることができない。
【００４０】
そこで、対物レンズ３０７をホルダー１２に保持させる前に、対物レンズ３０７の光学特性の方向性を確認する。例えば、対物レンズ３０７を透過したレーザ光が、光ディスク４００の情報記録面に合焦されるまでの距離が最も長くなるような対物レンズ３０７の方向性を確認する。
【００４１】
図３における対物レンズ３０７のＸ地点を図４のホルダー１２のＺ地点に合わせた状態が、レーザ光が情報記録面に合焦されるまでの距離が最も長いとする。また図３における対物レンズ３０７のＹ地点を図４のホルダー１２のＺ地点に合わせた状態が、レーザ光が情報記録面に合焦されるまでの距離が最も短いとする。実際、レンズ特性上、上記距離が最も長いとされた地点から略９０°ずれた地点が上記距離が最も短くなるようになっており、Ｘ地点が決まれば必然的にＹ地点も決まる。
【００４２】
図４（ａ）に示すように、対物レンズ３０７のＹ地点とホルダー１２のＺ地点を合わせてレーザ光を光ディスク４００に照射させた状態と、図４（ｂ）に示すように、対物レンズ３０７のＸ地点とホルダー１２のＺ地点を合わせてレーザ光を光ディスク４００に照射させた状態を見ると、非点隔差Ｈが生じているのが分かる。この非点隔差Ｈが生じると、対物レンズ３０７を通過したレーザ光の非点収差が大きくなって良好な光学特性を得ることができない。
【００４３】
次に、レーザ光を照射するための第１の集積光学ユニット２０１または第２の集積光学ユニット２０２の構造について図５を用いて説明する。
図５（ａ）は、第１の集積光学ユニットを示した構成図である。
第１の集積光学ユニット２０１は、レーザ光を照射するための開口部１３が設けられ、この開口部１３を介してレーザ光が照射される。図５（ｂ）は、図５（ａ）のＡ−Ａ’断面図であり、この図に示されるように開口部１３は横方向に横幅Ｐを有し、高さ方向に高さＱを有している。第１の集積光学ユニット２０１がハウジング１０１に取り付けられる際、この横幅Ｐ、高さＱの関係は、常に横幅Ｐ＞高さＱとなっている。図５（ｃ）は、図５（ａ）の第１の集積光学ユニット２０１をＳ方向から見た平面図とＴ方向から見た側面図を示した図である。図５（ｃ）に示すように、レーザ光が照射されると、Ｓ方向から見た平面図では横幅Ｐの影響でレーザ光が開口部１３のやや内部側の位置から照射が始まっており、またＴ方向から見た側面図では高さＱの影響でレーザ光が開口部１３の付近から照射が始まっている。すなわち、第１の集積光学ユニット２０１から照射されるレーザ光は開口部１３の形状によって照射位置が異なってしまう特性があり、これはどんな集積光学ユニットにも当てはまる。そして、この照射位置が異なることから、ここでも非点隔差Ｈ’が生じる。
【００４４】
したがって、本発明では対物レンズ３０７単体の光学特性のばらつきによる非点隔差Ｈと、第１の集積光学ユニット２０１の開口の形状によって非点隔差Ｈ’が生じるため、これらの非点隔差を利用して対物レンズ３０７の非点収差を最小にするような方向に方向識別部１０を付けることが特徴である。
【００４５】
方向識別部１０のマークの仕方及びマーク形状について、以下に説明する。
図４（ｂ）において、対物レンズ３０７のＸ地点をホルダー１２のＺ地点に合わせた状態は、レーザ光が光ディスク４００の情報記録面に到達するまでの距離が最も長く、また図５（ｃ）に示すＳ方向からみた平面図はレーザ光の照射位置が内部側にある。そのため、図５（ｃ）のＵ方向に対物レンズ３０７のＸ地点がくるようにすれば（レーザ光が光ディスクに到達するまでの距離が最も長くなるようにすれば）、非点隔差をキャンセルすることができ光学特性のばらつきを解消できることから、Ｘ地点に方向識別部１０をマークする。
【００４６】
すなわち、ハウジング１０１に第１の集積光学ユニット２０１などを取り付ける際は、通常ある決まった方向に取り付けられ、第１の集積光学ユニット２０１の開口部１３が横幅Ｐ＞高さＱの関係を保って取り付けられる。そうすれば、作業者は図５（ｃ）のように第１の集積光学ユニット２０１のＵ方向を確認して、予め検査した分かっている最も距離が長くなる対物レンズ３０７のＸ地点に方向識別部１０をマークすればいい。
【００４７】
また、この方向識別部１０にマークをする際は、あとで熱によって消失させることができる塗料を使用するといい。この方向識別部１０がこのまま対物レンズ３０７のコバ１１付近に残されると、例えばさらなる小型化によって対物レンズ３０７の有効領域を外形限界まで取る必要が生じたときに光学特性に影響がでてきてしまう。したがって、組み立て後に方向識別部１０を消失させることが望ましいが、有効領域の外側であれば完全に方向識別部１０を消失させなくてもよい。なお、消失させるには、例えば外部エネルギーによって紫外線、赤外線や光ディスクで使用するレーザ等を方向識別部１０に当てることによって行う。
【００４８】
また、方向識別部１０のマークは、突起を有するもの、凹部を有するもの、着色を有するもの、反射率が異なるものなど識別可能なものであれば何でもよい。
上記した実施の形態によれば、対物レンズ単体の光学特性を一方向へ揃え、対物レンズの回転配置による特性ばらつきを安定させられるように方向識別部を対物レンズに設けたことで、非点隔差をキャンセルすることができ、ばらつきが減少し安定した光ピックアップの非点収差特性が得られる。
【００４９】
なお、本発明は、上記実施形態に限定されるものではなく、実施段階では、その要旨を逸脱しない範囲で種々に変形することが可能である。例えば、対物レンズ以外で、ハウジングに配置及び配置角度を有して取り付けられる光学部品であってもよい。
【００５０】
【発明の効果】
以上のように、光ピックアップ装置において、光学部品の単体性能の方向識別部を設けることによって、組み付け時に光学特性の方向制御が可能となる。
また、この方向識別部をマークした後に消失させることによって、安定した光学性能を持った光ピックアップ装置を生成することができる。
【図面の簡単な説明】
【図１】本発明に係る一実施形態の光ピックアップ装置の構成図である。
【図２】光ピックアップ装置を用いた光ディスク装置の構成図である。
【図３】本発明の係る対物レンズを示す図である。
【図４】図３の対物レンズのＸ地点及びＹ地点をそれぞれホルダーのＺ地点に合わせ、その時のレーザ光の照射状態を示した図である。
【図５】第１の集積光学ユニットを示した構成図である。
【符号の説明】
１０    方向識別部
１１    コバ
１２    ホルダー
１３    開口部
２０、２１    光検出器
１０１    ハウジング
２０１    第１の集積光学ユニット
２０２    第２の集積光学ユニット
３０２    ダイクロイックＰＢＳ
３０３    コリメータレンズ
３０６    反射ミラー
３０７    対物レンズ
４００    光ディスク
【図１】
2004170480.tif 000003
【図２】
2004170480.tif 000004
【図３】
2004170480.tif 000005
【図４】
2004170480.tif 000006
【図５】
2004170480.tif 000007